(57)【特許請求の範囲】
【請求項１】
開口部に設けられて上面から見たシルエットが長細い複数の棒からなるフィルター部を備え、前記複数の棒が、上面から見て、上部より順に上面から見た角度を所定角度ずつ変化させながら放射状に配置されていて、側面から見た高さを互いに全て異にする複数のグループに１本ずつ属しているとともに、上面から見たときに重なっている部分が接続部によって互いに連結されていることを特徴とする、注ぎ口。
【請求項２】
開口部に設けられて上面から見たシルエットが長細い複数の棒からなるフィルター部を備え、前記複数の棒が、上面から見て、上部より順に上面から見た角度を９０°ずつ変化させながら井桁状に配置されていて、側面から見た高さを互いに全て異にする複数のグループに１本ずつ属しているとともに、上面から見たときに重なっている部分が接続部によって互いに連結されていることを特徴とする、注ぎ口。
【請求項３】
開口部に設けられて上面から見たシルエットが長細い複数の棒からなるフィルター部を備え、前記複数の棒が、最上部に位置しかつ注ぎ口の内周面の一方の側から中心を通って内周面の他方の側までのびる第１の棒と、前記第１の棒よりも下方に位置しかつ注ぎ口の内周面から中心に向かって突出するようにのびる複数の第２の棒とで構成されていて、上面から見て、上面から見た角度を所定角度ずつ変化させながら放射状に配置されているとともに、周方向に隣り合う棒同士が、側面から見た高さを互いに全て異にする複数のグループのうち異なるグループに属するように配置されていることを特徴とする、注ぎ口。
【請求項４】
請求項１から請求項３のいずれかに記載の注ぎ口を有する容器と、前記容器に収納されかつ固体が析出する液体とを備える包装体。
【発明の詳細な説明】
【技術分野】
【０００１】
この発明は、注ぎ口及び注ぎ口を備えてなる包装体に関し、特にバックインボックス及びパウチ等の包装体並びにそれらに用いられる注ぎ口に関する。
【背景技術】
【０００２】
従来から、容器用のろ過フィルターとして目詰まりし難いものが提案されている。例えば図１１及び図１２は、従来の容器用のろ過フィルターの構成を示す平面図及び断面図である。図１１および図１２に示すろ過フィルター１０１には、フィルター部１０２とフィルター部１０２に設けられた突起１０３とが備えられている（特許文献１参照）。この突起１０３によって３次元的に凝集物や固形物を捕捉して目詰まりを防止している。
その他にも、パウチ用注出口として、開口部から離れた位置に十字の閉鎖防止リブを設けることにより、目詰まりを防止するものがある（特許文献２参照）。
【０００３】
【特許文献１】特開２００３−３２１０３０号公報
【特許文献２】特開２００１−３２８６４９号公報
【発明の開示】
【発明が解決しようとする課題】
【０００４】
従来の注ぎ口は以上のように構成されており、特開２００３−３２１０３０号公報に記載されているようにフィルター部１０２が同一面内に分布しているので、複数の突起の間隔即ちフィルター部の目の大きさよりも大きな膜状の凝集物や固形物が生じた場合には目詰まりを防止する効果が十分ではないという問題がある。一方、特開２００１−３２８６４９号公報に記載されているパウチ用注出口では、凝集物や固形物をそのまま通過させてしまい、フィルターとしての役割を果たさないという問題点がある。
この発明は上記の問題点を解消するためになされたものであり、注ぎ口において、上面から見たフィルターの目の大きさよりも大きな膜状の凝集物や固形物に対する目詰まり防止機能を向上させることを目的とする。
【課題を解決するための手段】
【０００５】
第１の課題解決手段による注ぎ口は、開口部に設けられて上面から見たシルエットが長細い複数の棒からなるフィルターを備え、複数の棒が、上面から見て、上部より順に上面から見た角度を所定角度ずつ変化させながら放射状に配置されていて、側面から見た高さを互いに全て異にする複数のグループに１本ずつ属しているとともに、上面から見たときに重なっている部分が接続部によって互いに連結されているものである。
第２の課題解決手段による注ぎ口は、開口部に設けられて上面から見たシルエットが長細い複数の棒からなるフィルターを備え、複数の棒が、上面から見て、上部より順に上面から見た角度を９０°ずつ変化させながら井桁状に配置されていて、側面から見た高さを互いに全て異にする複数のグループに１本ずつ属しているとともに、上面から見たときに重なっている部分が接続部によって互いに連結されているものである。
第３の課題解決手段による注ぎ口は、開口部に設けられて上面から見たシルエットが長細い複数の棒からなるフィルターを備え、複数の棒が、最上部に位置しかつ注ぎ口の内周面の一方の側から中心を通って内周面の他方の側までのびる第１の棒と、第１の棒よりも下方に位置しかつ注ぎ口の内周面から中心に向かって突出するようにのびる複数の第２の棒とで構成されていて、上面から見て、上面から見た角度を所定角度ずつ変化させながら放射状に配置されているとともに、周方向に隣り合う棒同士が、側面から見た高さを互いに全て異にする複数のグループのうち異なるグループに属するように配置されているものである。
第４の課題解決手段による包装体は、第１から第３の課題解決手段のいずれかの構成を備える注ぎ口を有する容器と、容器に収納されかつ固体が析出する液体とを備えるものである。
【発明の効果】
【０００６】
第１ないし第３の課題解決手段の注ぎ口によれば、複数の棒が側面から見た高さを互いに全て異にする複数のグループを構成するように配置されているので、同じ高さに配置される棒の本数が全体の本数よりも少なくなるので側面から見た同じ高さにおける開口部が大きくなり、かつ棒で凝集物などを止めるため特に膜状の凝集物などは棒に巻き付くように捕捉されるので、膜状の凝集物などによって目詰まりが発生し難くなるという効果がある。
第１または第２の課題解決手段の注ぎ口によれば、複数の棒が、上面から見て一部だけ重なっていることから、重なりのない部分が上下に割れる金型で成形でき、かつ重なっている部分が接続部によって互いに連結されていることから、重なっている部分の間に金型を入り込ませなくて済むため、簡単に、上下に分割する金型で一度に成形することができ、コストを削減できるという効果がある。
第４の課題解決手段の包装体によれば、液体から生じる固体をろ過しつつ液体を注ぎ出し、目詰まりがし難いので使用可能な液体の量を従来に比べて増やせるという効果がある。
【発明を実施するための最良の形態】
【０００７】
（第１実施形態）
以下、この発明の第１実施形態による注ぎ口について図１乃至図４を用いて説明する。図１は、この発明の第１実施形態による注ぎ口の斜視図であり、図２は平面図であり、図３は側面図である。図４は図２におけるＡ−Ａ線矢視断面図である。
また、図５は、第１実施形態による注ぎ口の使用例を示すバックインボックスの断面図である。
図１〜図５に示す注ぎ口１は、キャップ嵌合部２、取り付け部３及びフィルター部４を備えて構成されている。キャップ嵌合部２の最上部の外周に、リング状突起５が設けられている。キャップ嵌合部２と取り付け部３との境界には、フランジ６が設けられている。キャップ嵌合部２から取り付け部３に貫通する開口部７内を液体が通過し、取り付け部３の内周面に配置されているフィルター部４によって、液体から凝集物などの固形物が液体の使用に支障のない程度まで除去される。
フィルター部４は、６本の棒８ａ〜８ｆが上面から見て、大きな間隙ができないように、上部より順に上面から見た角度を３０度ずつ変化させながら配置されている（図２参照）。また、６本の棒８ａ〜８ｆを側面から見ると、上部より所定間隔ずつ下方に離して設けられている（図４参照）。つまり、棒８ａ〜８ｆは、側面から見た高さを互いに全て異にする６つのグループにそれぞれ一本ずつ属していることになる。
図５には、注ぎ口１の一使用例が示されている。即ち、バックインボックスのポリエチレン製内袋１０の固定具１１の開口に、注ぎ口１の取り付け部３が圧入されている。例えば、圧入を容易にするために、取り付け部３の外周面にOリングを取り付け、またはリング状の低いリブを設けることが好ましい。圧入して固定具１１の上端面にフランジ６の下面が当たることによって位置決めがされる。
また、図５に示すように、キャップ１２がキャップ嵌合部２に嵌合される。キャップ１２が注ぎ口１に嵌合されている場合、キャップ１２は、キャップ嵌合部２のリング状突起５に係止されている。そのために、キャップ１２の内周面には、リング状の溝が形成されている。
なお、第１実施形態の注ぎ口１は、固定具１１でポリエチレン製内袋１０に固定したが、注ぎ口１と固定具１１を一体化した形態のものであっても良い。
注ぎ口１にフィルター部４が設けられているので、バックインボックスのポリエチレン製内袋１０に収納されている液状物内で生じた凝集物などの固形物が複数の棒８ａ〜８ｆのいずれかに巻き付くことにより除去される。そして、複数の棒８ａ〜８ｆが高さ方向で分離され、同一水平面内に全部の棒８ａ〜８ｆが網の目のように配置されていないため、目詰まりを起こし難くなっている。
また、第１実施形態のフィルター部４を構成する６本の棒８ａ〜８ｆの上面から見たときに重なる部分が接続部８ｇで埋められている。そのため、注ぎ口１は上下に開く金型により１回で成形可能である。
【０００８】
（第２実施形態）
次に、この発明の第２実施形態による注ぎ口について図６および図７を用いて説明する。図６は、この発明の第２実施形態による注ぎ口の平面図であり、図７は図６におけるＢ−Ｂ線矢視断面図である。
図６及び図７に示す注ぎ口２１は、キャップ嵌合部２２、取り付け部２３及びフィルター部２４を備えて構成されている。キャップ嵌合部２２の最上部の外周に、リング状突起２５が設けられている。キャップ嵌合部２２と取り付け部２３との境界には、フランジ２６が設けられている。キャップ嵌合部２２から取り付け部２３に貫通する開口部２７内を液体が通過し、取り付け部２３の内周面に配置されているフィルター部２４によって、液体から凝集物などの固形物が液体の使用に支障のない程度まで除去される。
図６に示すように、フィルター部２４は、１１本の棒２８ａ〜２８ｋからなり、上面から見て大きな間隙ができないように、棒２８ｂ〜２８ｆが棒２８ａから時計回りに順に上面から見た角度を３０度ずつ変化させながら開口部２７の内周面に配置され、棒２８ｇ〜２８ｋが棒２８ａから反時計回りに順に上面から見た角度を３０度ずつ変化させながら開口部２７の内周面に配置されている。例えば、棒２８ａに対して棒２８ｂが反時計回りに３０度ずれており、棒２８ａに対して棒２８ｇが時計回りに３０度ずれている。
また、１１本の棒２８ａ〜２８ｋを側面から見ると、上部より所定間隔ずつ下方に離して設けられている（図７参照）。つまり、棒２８ａ〜２８ｋは、側面から見た高さを互いに全て異にする４つのグループを構成していることになる。例えば、棒２８ａは、最も高いところに位置する第１グループに属し、棒２８ｃ，２８ｅ，２８ｈ，２８ｊは、２番目に高いところに位置する第２グループに属する。
注ぎ口２１にフィルター部２４が設けられているので、収納されている液状物内で生じた凝集物などの固形物が複数の棒２８ａ〜２８ｋのいずれかに巻き付くことにより除去される。そして、複数の棒２８ａ〜２８ｋが高さ方向で分離され、同一水平面内に全部の棒２８ａ〜２８ｋが網の目のように配置されていないため、目詰まりを起こし難くなっている。
また、第２実施形態のフィルター部２４を構成する１１本の棒２８ａ〜２８ｋの上面から見たときに重なる部分がほとんどないように配置されているので、注ぎ口２１は上下に開く金型により１回で成形可能である。
【０００９】
（第３実施形態）
次に、この発明の第３実施形態による注ぎ口について図８および図９を用いて説明する。図８は、この発明の第３実施形態による注ぎ口の平面図であり、図９は図８におけるＣ−Ｃ線矢視断面図である。
図８及び図９に示す注ぎ口３１は、キャップ嵌合部３２、取り付け部３３及びフィルター部３４を備えて構成されている。キャップ嵌合部３２の最上部の外周に、リング状突起３５が設けられている。キャップ嵌合部３２と取り付け部３３との境界には、フランジ３６が設けられている。キャップ嵌合部３２から取り付け部３３に貫通する開口部３７内を液体が通過し、取り付け部３３の内周面に配置されているフィルター部３４によって、液体から凝集物などの固形物が液体の使用に支障のない程度まで除去される。
図８に示すように、フィルター部３４は、６本の棒３８ａ〜３８ｆが上面から見て、大きな間隙ができないよう、井桁に組まれて取り付け部３３の内周面に配置されている。つまり、棒３８ａ，３８ｃ，３８ｅが上面から見て所定間隔離れて平行に配置され、棒３８ｂ，３８ｄ，３８ｆが上面から見て棒３８ａ，３８ｃ，３８ｅに直行するように所定間隔離れて平行に配置されている。
また、６本の棒３８ａ〜３８ｆを側面から見ると、上部より所定間隔ずつ下方に離して設けられている（図９参照）。つまり、棒３８ａ〜３８ｆは、側面から見た高さを互いに全て異にする６つのグループにそれぞれ一本ずつ属していることになる。例えば、棒３８ａは、最も高いところに位置する第１グループに属し、棒３８ｂは、２番目に高いところに位置する第２グループに属するなどである。
注ぎ口３１にフィルター部３４が設けられているので、収納されている液状物内で生じた凝集物などの固形物が複数の棒３８ａ〜３８ｆのいずれかに巻き付くことにより除去される。そして、複数の棒３８ａ〜３８ｆが高さ方向で分離され、同一水平面内に全部の棒３８ａ〜３８ｆが網の目のように配置されていないため、目詰まりを起こし難くなっている。
また、第３実施形態のフィルター部３４を構成する６本の棒３８ａ〜３８ｋの上面から見たときに重なる部分が接続部３８ｇ，３８ｈ，３８ｉで埋められている。そのため、注ぎ口３１は上下に開く金型により１回で成形可能である。
【００１０】
なお、上記第１実施形態から第３実施形態の注ぎ口１，２１，３１の棒８ａ〜８ｆ，２８ａ〜２８ｋ，３８ａ〜３８ｆの例として、表面が平滑なものを示したが、これら棒８ａ〜８ｆ，２８ａ〜２８ｋ，３８ａ〜３８ｆに代えて、図１０に示すような突起４０を備える棒８を用いてもよい。突起４０を備えることにより、突起４０により絡め取られた凝集物などが脱落しにくくなり、凝集物などの通過を防ぐ効果を向上させることができる。ここでは、突起４０について説明したが、繊毛のようなものであってもよい。そして、棒８，８ａ〜８ｆ，２８ａ〜２８ｋ，３８ａ〜３８ｆの断面形状も、四角形に限られるものではなく、丸、楕円、三角形などであってもよく、上記第１〜第３実施の形態と同様の効果を奏する。
また、上記第１実施形態から第３実施形態の注ぎ口１，２１，３１は、金型の一回の開閉動作で一度に成形できるもの、いわゆるワンピース成形可能な形態を示したが、複数の部品を組み立てることによって形成してもよい。複数の部品を組み立てる場合には成形上の制約を緩やかにすることができる。
また、上記第1実施形態から第３実施形態の注ぎ口のフィルター部４，２４，３４を構成する棒８ａ〜８ｆ，２８ａ〜２８ｋ，３８ａ〜３８ｋは水平に配置されているが、水平面に対して例えば１０度の角度を持つように設けてもよい。上面から見たシルエットが長細ければ、膜状などの固形物を効率良く除去することができる。
【図面の簡単な説明】
【００１１】
【図１】第１実施形態による注ぎ口の構成を示す斜視図である。
【図２】図１の注ぎ口の平面図である。
【図３】図１の注ぎ口の側面図である。
【図４】図２におけるＡ−Ａ線矢視断面図である。
【図５】第１実施形態の注ぎ口の使用態様を示す断面図である。
【図６】第２実施形態による注ぎ口の平面図である。
【図７】図６におけるＢ−Ｂ線矢視断面図である。
【図８】第３実施形態による注ぎ口の平面図である。
【図９】図８におけるＣ−Ｃ線矢視断面図である。
【図１０】棒の他の形態を示す平面図である。
【図１１】従来の注ぎ口の平面図である。
【図１２】図１１の注ぎ口の断面図である。
【符号の説明】
【００１２】
１，２１，３１  注ぎ口、２，２２，３２  キャップ嵌合部、３，２３，３３  取り付け部、４，２４，３４  フィルター部、８ａ〜８ｆ，２８ａ〜２８ｋ，３８ａ〜３８ｆ  棒。
【図１】
0004753171.tif 000002
【図２】
0004753171.tif 000003
【図３】
0004753171.tif 000004
【図４】
0004753171.tif 000005
【図５】
0004753171.tif 000006
【図６】
0004753171.tif 000007
【図７】
0004753171.tif 000008
【図８】
0004753171.tif 000009
【図９】
0004753171.tif 000010
【図１０】
0004753171.tif 000011
【図１１】
0004753171.tif 000012
【図１２】
0004753171.tif 000013